(57)【要約】【課題】間仕切壁内に配設した電気配線及び配水管を洗面化粧台と洗濯機に接続でき、且つ洗面室としてのスペースを十分確保できる洗面化粧台と洗濯機の設置構造を提供する。【解決手段】間仕切壁３に衣服９が通過可能な投入口４を設け、間仕切壁３を挟んで洗面化粧台１と洗濯機２を設置する洗面化粧台１と洗濯機２の設置構造であって、洗面化粧台１の背面と洗濯機２の背面もしくは側面とを間仕切壁３を介して対面させると共に、間仕切壁３内に電気配線５と配水管６を配設し、洗面化粧台１と洗濯機２に電気配線５と配水管６を接続可能にした。【選択図】      図１
2004324042.tif 000002
【特許請求の範囲】
【請求項１】
間仕切壁に衣服が通過可能な投入口を設け、間仕切壁を挟んで洗面化粧台と洗濯機を設置する洗面化粧台と洗濯機の設置構造であって、洗面化粧台の背面と洗濯機の背面もしくは側面とを間仕切壁を介して対面させると共に、間仕切壁内に電気配線と配水管を配設し、洗面化粧台と洗濯機に電気配線と配水管を接続可能にしたことを特徴とする洗面化粧台と洗濯機の設置構造。
【請求項２】
洗濯機を挟むようにして間仕切壁の反対側に開閉可能な扉を、間仕切壁と略並行に設けたことを特徴とする請求項１に記載の洗面化粧台と洗濯機の設置構造。
【請求項３】
間仕切壁の両側より衣服を出し入れ可能な収納棚を間仕切壁に組み込んだことを特徴とする請求項１又は２に記載の洗面化粧台と洗濯機の設置構造。
【発明の詳細な説明】
【０００１】
【発明の属する技術分野】
本発明は、住宅における洗面化粧台と洗濯機の設置構造に関する。
【０００２】
【従来の技術】
従来は、図５に示す通り、洗面化粧台１０１を備えた洗面室１２１と洗濯機１０２を備えた洗濯室１２２を仕切る間仕切壁１０３に衣服１０９の投入口１０４を設けると共に、洗濯室１２２に投入口１０４から衣服１０９を投入できる脱衣カゴ１１３を設け、洗面室１２１より洗濯室１２２へ衣服１０９を投入できるようにすることで、洗濯機１０２を洗面室１２１の外に出して、生活感のない見映えの良い洗面室１２１を作り出していた。（例えば、特許文献１参照）
また、図６に示す通り、間仕切壁１０３の両側より衣服１０９を出し入れ可能な収納棚１０８を設け、洗濯する前の衣服１０９や洗濯して干し終わった衣服１０９を収納棚１０８に置くことで、洗濯機１０２を洗濯室１２２の外に出すこともできるものもあった。（例えば、特許文献２参照）
しかし、洗濯室１２２という空間が必要になり、手狭な日本の住宅においてはプランニングが困難となり、更に洗濯室１２２を設けることにより、洗濯機１０２が洗面化粧台１０１から離れ、異なる部屋に別々に電気配線や配水管の施工をする必要があり、施工に手間がかかるという問題があった。
【０００３】
これに対して、洗面室１２１の中に間仕切壁１０３を設けて洗濯機１０２を収納し、洗濯機１０２の前面に開閉ドア１０３を設け、洗濯機１０２を使用しない場合には、この開閉ドアを閉鎖して見映えの良い空間を作り出すこともできるものもあった。（例えば、特許文献３参照）
しかし、洗面室１２１に洗濯機１０２を備えることで、洗面室１２１の空間が狭くなり、洗面室１２１としてのスペースが十分確保できないという問題がある。
【０００４】
【特許文献１】
特開２０００−６４６３３号公報（第３−５項、図３、図４）
【０００５】
【特許文献２】
特開２００２−１７４７９号公報（第１、２項、図１）
【０００６】
【特許文献３】
特開２００１−４０９５７号公報（第１−５項、図１−図５）
【０００７】
【発明が解決しようとする課題】
本発明は、上記の問題点を解消するためのもので、間仕切壁内に配設した電気配線及び配水管を洗面化粧台と洗濯機に接続でき、且つ洗面室としてのスペースを十分確保できる洗面化粧台と洗濯機の設置構造を提供するものである。
【０００８】
【課題を解決するための手段】
本発明の請求項１記載の洗面化粧台と洗濯機の設置構造は、間仕切壁に衣服が通過可能な投入口を設け、間仕切壁を挟んで洗面化粧台と洗濯機を設置する洗面化粧台と洗濯機の設置構造であって、洗面化粧台の背面と洗濯機の背面もしくは側面とを間仕切壁を介して対面させると共に、間仕切壁内に電気配線と配水管を配設し、洗面化粧台と洗濯機に電気配線と配水管を接続可能にしたことを特徴とする。
【０００９】
このものにあっては、間仕切壁に衣服が通過可能な投入口を設け、洗面化粧台の背面と洗濯機の背面もしくは側面とを間仕切壁を介して対面すると共に、間仕切壁内に電気配線と配水管を配設し、洗面化粧台と洗濯機に電気配線と配水管を接続可能にしたことにより、施工が容易になると共に、衣服を投入口より脱衣カゴに投入して洗濯することができ、洗濯機により洗面室のスペースを使われることがなくなるので、洗面室のスペースを十分に確保できる。
【００１０】
本発明の請求項２に記載の洗面化粧台と洗濯機の設置構造は、請求項１に記載の洗面化粧台と洗濯機の設置構造において、洗濯機を挟むようにして間仕切壁の反対側に開閉可能な扉を、間仕切壁と略並行に設けたことを特徴とする。
【００１１】
このものにあっては、廊下等に面した洗面室以外の空間に洗濯機を設置し、洗濯機を挟むようにして間仕切壁の反対側に開閉可能な扉を設けると共に、扉と間仕切壁を略並行にすることで、廊下等の洗面室以外の空間を洗濯室として兼用して洗濯機を使用することができ、別途専用の洗濯室を必要とせずに洗濯することができる。
【００１２】
本発明の請求項３に記載の洗面化粧台と洗濯機の設置構造は、請求項１又は２に記載の洗面化粧台と洗濯機の設置構造において、間仕切壁の両側より衣服を出し入れ可能な収納棚を間仕切壁に組み込んだことを特徴とする。
【００１３】
このものにあっては、間仕切壁の両側より衣服を出し入れ可能な収納棚を間仕切壁に組込むことにより、間仕切壁に投入口を設けて洗面室より衣服を脱衣カゴに投入することなく、洗面室より収納棚に衣服を置いて洗濯機側より衣服を取り出して洗濯することができると共に、洗濯して干し終わった衣服を洗濯機側より収納して洗面室より衣服を取り出すことができる。
【００１４】
【発明の実施の形態】
以後、本発明の実施形態を、図を用いて説明する。
【００１５】
図１乃至図４は、本発明の実施形態に係る洗面化粧台と洗濯機の設置構造の実施例を示すものである。
【００１６】
洗面化粧台１と洗濯機２の間には、間仕切壁３を設けており、洗面化粧台１と洗濯機２の背面がそれぞれ間仕切壁３を介して対面している。洗面化粧台１の上部には、収納棚８を備えており、この収納棚８は間仕切壁３に組込まれている。また、収納棚８は間仕切壁３の両側より出し入れ可能で、洗濯機２側でも収納棚８として利用できるようになっている。更に、収納棚８の下方の間仕切壁３には、衣服９が通過する程度の大きさの投入口４がある。尚、収納棚８の洗面室２１側の前面には、手前側に開閉可能な収納扉１２を備えていて、この収納扉１２は、投入口４の前面にも伸びている。
【００１７】
間仕切壁３を挟んで、洗面化粧台１の反対側には、洗濯機２を配置しており、洗濯機２の傍には投入口４の下に脱衣カゴ１３を配置している。また、洗濯機２を挟むようにして間仕切壁３の反対側に扉７を設け、扉７と間仕切壁３は略並行にしている。尚、扉７は、開閉するときにスペースをとらない引戸にしている。
【００１８】
このように、間仕切壁３に投入口４を設け、洗濯機側に脱衣カゴ１３を設けているので、洗面室２１より衣服９を投入口４に投入して脱衣カゴ１３に入れ、洗濯機２で洗濯することができる。また、間仕切壁３の両側より出し入れ可能な収納棚８を設けているので、洗面室２１より衣服９を収納棚８に置いて、洗濯機２側で衣服９を取り出して洗濯することもできる。
【００１９】
間仕切壁３には、電気配線５と配水管６が組込まれていて、洗面化粧台１と洗濯機２の背面がそれぞれ間仕切壁３を介して対面しているので、間仕切壁３より洗面化粧台１及び洗濯機２に電気配線５と配水管６を接続できるようになっている。
【００２０】
ここで、給水は、間仕切壁３に設けた給水管６ａより洗面化粧台１と洗濯機２に送られると共に、洗面化粧台１と洗濯機２の排水は、間仕切壁３に組み込んだ排水管６ｂを通って排出される。
【００２１】
したがって、洗面化粧台１と洗濯機２の背面がそれぞれ間仕切壁３を介して対面し、間仕切壁３に電気配線５と配水管６を組込み、洗面化粧台１と洗濯機２に電気配線５と配水管６を接続することにより、施工が容易になると共に、衣服９を投入口４より脱衣カゴ１３に投入して洗濯することができ、洗濯機２により洗面室２１のスペースを使われることがなくなるので、洗面室２１のスペースを十分に確保できる。
【００２２】
また、廊下や踊り場、リビング等に面した洗面室２１以外の空間に洗濯機２を設置し、洗濯機２を挟むようにして間仕切壁３の反対側に開閉可能な扉７を設けると共に、扉７と間仕切壁３を略並行にすることで、廊下や踊り場、リビング等の洗面室２１以外の空間を洗濯室として兼用して洗濯機２を使用することができ、別途専用の洗濯室を必要とせずに洗濯することができる。
【００２３】
更に、間仕切壁３の両側より衣服９を出し入れ可能な収納棚８を間仕切壁３に組込むことにより、間仕切壁３に投入口４を設けて洗面室２１より衣服９を脱衣カゴ１３に投入することなく、洗面室２１より収納棚８に衣服９を置いて洗濯機２側より衣服９を取り出して洗濯することができると共に、洗濯して干し終わった衣服９を洗濯機２側より収納して洗面室２１より衣服９を取り出すことができる。
【００２４】
尚、洗濯機２の背面と洗面化粧台１の背面とを間仕切壁３を介して対面させる代わりに、洗濯機２の側面と洗面化粧台１の背面とを対面させても良い。本実施例においては、洗面化粧台１の両側には収納棚８と棚２０を配置しているが、洗面化粧台１に向かって右側に配置している棚２０を設置しない場合には、廊下等のスペースに加えて、その分だけ洗濯のスペースを広く使うことができる。
【００２５】
【発明の効果】
以上の説明により、本発明の請求項１記載の洗面化粧台と洗濯機の設置構造によると、間仕切壁に衣服が通過可能な投入口を設け、洗面化粧台の背面と洗濯機の背面もしくは側面とを間仕切壁を介して対面すると共に、間仕切壁内に電気配線と配水管を配設し、洗面化粧台と洗濯機に接続可能にしたことにより、施工が容易になると共に、衣服を投入口より脱衣カゴに投入して洗濯することができ、洗濯機により洗面室のスペースを使われることがなくなるので、洗面室のスペースを十分に確保できる。
【００２６】
本発明の請求項２に記載の洗面化粧台と洗濯機の設置構造によると、廊下等に面した洗面室以外の空間に洗濯機を設置し、洗濯機を挟むようにして間仕切壁の反対側に開閉可能な扉を設けると共に、扉と間仕切壁を略並行にすることで、廊下等の洗面室以外の空間を洗濯室として兼用して洗濯機を使用することができ、別途専用の洗濯室を必要とせずに洗濯することができる。
【００２７】
本発明の請求項３に記載の洗面化粧台と洗濯機の設置構造によると、間仕切壁の両側より衣服を出し入れ可能な収納棚を間仕切壁に組込むことにより、間仕切壁に投入口を設けて洗面室より衣服を脱衣カゴに投入することなく、洗面室より収納棚に衣服を置いて洗濯機側より衣服を取り出して洗濯することができると共に、洗濯して干し終わった衣服を洗濯機側より収納して洗面室より衣服を取り出すことができる。
【図面の簡単な説明】
【図１】本発明の実施形態係る洗面化粧台と洗濯機の設置構造の実施例であって、（ａ）は平面図、（ｂ）はＡ−Ａ間の縦断面図、（ｃ）はＢ−Ｂ間の縦断面図である。
【図２】同上の洗面化粧台と洗濯機の設置構造の実施例であって、洗面化粧台を示す斜視図である。
【図３】同上の洗面化粧台と洗濯機の設置構造の実施例であって、洗濯機側の扉を開けた状態を示す斜視図ある。
【図４】同上の洗面化粧台と洗濯機の設置構造の実施例であって、洗濯機側の扉を閉じた状態の斜視図である。
【図５】従来の洗面化粧台と洗濯機の設置構造を示す実施例であって、（ａ）は平面図、（ｂ）は投入口より衣服を投入する様子を示す縦断面図である。
【図６】従来の洗面化粧台と洗濯機の設置構造を示す他の実施例の平面図である。
【符号の説明】
１      洗面化粧台
２      洗濯機
３      間仕切壁
４      投入口
５      電気配線
６      配水管
７      扉
８      収納棚
９      衣服
【図１】
2004324042.tif 000003
【図２】
2004324042.tif 000004
【図３】
2004324042.tif 000005
【図４】
2004324042.tif 000006
【図５】
2004324042.tif 000007
【図６】
2004324042.tif 000008